(57)【要約】【課題】表示画面と同一のアスペクト比で画像を表示しながら、消費電力を低減することができる表示装置およびこれを備える電子機器を提供することを目的とする。【解決手段】画像を表示する液晶ディスプレイ１１と、照明光を射出する通常点灯用ＬＥＤ１３および部分点灯用ＬＥＤ１５と、通常点灯用ＬＥＤ１３から射出された照明光を入射させる第１の入射面および部分点灯用ＬＥＤ１５から射出された照明光を入射させる第２の入射面を有し、第１の入射面より入射した照明光を液晶ディスプレイ１１の全面に導光するとともに、第２の入射面より入射した照明光を液晶ディスプレイ１１と同一のアスペクト比を有する所定領域に導光する導光ユニット１７と、液晶ディスプレイ１１に表示する画像のサイズを全面と所定領域とに切り替える切り替え用ボタン２１とを備える表示装置を採用する。【選択図】図１
2010060817.tif 000002
【特許請求の範囲】
【請求項１】
画像を表示する表示画面と、
照明光を射出する第１の光源および第２の光源と、
前記第１の光源から射出された照明光を入射させる第１の入射面および前記第２の光源から射出された照明光を入射させる第２の入射面を有し、前記第１の入射面より入射した照明光を前記表示画面の全面に導光するとともに、前記第２の入射面より入射した照明光を前記表示画面と同一のアスペクト比を有する所定領域に導光する導光部と、
前記表示画面に表示する画像のサイズを前記全面と前記所定領域とに切り替える画像切替部とを備える表示装置。
【請求項２】
前記第２の入射面が、凹型に形成されている請求項１に記載の表示装置。
【請求項３】
前記表示画面に対する前記所定領域の割合が、前記第１の光源の輝度に対する前記第２の光源の輝度の割合よりも小さい請求項１または請求項２に記載の表示装置。
【請求項４】
外光の強度を検知する外光検知部と、
該外光検知部により検知された外光の強度に基づいて、前記第１の光源および前記第２の光源の点灯を制御する点灯制御部とを備える請求項１から請求項３のいずれかに記載の表示装置。
【請求項５】
請求項１から請求項４のいずれかに記載の表示装置と、
被写体を撮影する撮像装置と、
該撮像装置により取得された画像を前記表示装置に表示させる表示制御部とを備える電子機器。
【発明の詳細な説明】
【技術分野】
【０００１】
本発明は、屋外での視認性を向上させる表示装置および電子機器に関するものである。
【背景技術】
【０００２】
デジタルカメラや携帯電話等の表示画面は、屋内で使用する時には良好な視認性を有していても、屋外で使用する時には、太陽光が表示画面の表面に反射して視認性を阻害することがある。特に、表示画面を保護するためのカバーが設けられている場合には、表示画面の表面での反射に加えてカバーの表面および裏面での反射が加算されるため、これらの現象が顕著に現れる。
【０００３】
屋外での表示画面の視認性を確保するための手段として、バックライトの電力を上げて、表示画面を明るくする方法が一般的である。しかし、バックライトの消費電力の増大により、撮影枚数や使用時間が著しく減少してしまうといった課題がある。この課題に対して、従来、表示画面における表示領域を小型化して、消費電力を低減させる方法が知られている（例えば、特許文献１および特許文献２参照）。
【０００４】
上記の従来技術は、バックライト光源を複数配置して、各光源のＯＮ／ＯＦＦを制御することにより、表示画面の所定領域を点灯させるものである。例えば、表示画面の右半分を照明する光源のみを点灯させて、表示画面の右半分のみに画像を表示させることにより、消費電力の低減を図っている。
【特許文献１】特開２００６−２２１０８３号公報
【特許文献２】特開２０００−３５７０７５号公報
【発明の開示】
【発明が解決しようとする課題】
【０００５】
しかしながら、上記の従来技術によれば、表示画面を縦方向または横方向に分割して表示することは可能であるが、表示画面と同一のアスペクト比で画像を表示することができない。なぜなら、従来の表示装置では、各光源は導光体の周辺部に縦方向または横方向に配列され、光源から出射されて導光体に入射された光は、導光体内で全反射を繰り返して、導光体内の出射面から均一に出射するように設計されているためである。従って、表示画面と同一のアスペクト比で画像を表示するためには、導光体に入射された光を表示画面の所定領域のみに出射できるようにしなければならない。
【０００６】
本発明は、上記事情に鑑みてなされたもので、表示画面と同一のアスペクト比で画像を表示しながら、消費電力を低減することができる表示装置およびこれを備える電子機器を提供することを目的とする。
【課題を解決するための手段】
【０００７】
上記課題を解決するために、本発明は以下の手段を採用する。
本発明は、画像を表示する表示画面と、照明光を射出する第１の光源および第２の光源と、前記第１の光源から射出された照明光を入射させる第１の入射面および前記第２の光源から射出された照明光を入射させる第２の入射面を有し、前記第１の入射面より入射した照明光を前記表示画面の全面に導光するとともに、前記第２の入射面より入射した照明光を前記表示画面と同一のアスペクト比を有する所定領域に導光する導光部と、前記表示画面に表示する画像のサイズを前記全面と前記所定領域とに切り替える画像切替部とを備える表示装置を採用する。
【０００８】
本発明によれば、第１の光源から射出されて第１の入射面より入射した照明光が、導光部により表示画面の全面に導光され、表示画面の全面点灯が行われる。また、第２の光源から射出されて第２の入射面に入射した照明光が、導光部により表示画面と同一のアスペクト比を有する所定領域に導光されて表示画面の部分点灯が行われ、画像切替部により表示画面に表示する画像が所定領域のサイズに切り替えられる。これにより、全面点灯により表示画面の全面に通常サイズの画像を表示可能にするととともに、部分点灯により表示画面の所定領域に縮小サイズの画像を表示して消費電力の低減を図ることができる。
【０００９】
上記の表示装置において、前記第２の入射面が、凹型に形成されていることとしてもよい。
このようにすることで、第２の入射面における照明光の屈折角を第１の入射面における照明光の屈折角よりも大きくすることができ、第２の入射面に入射した照明光を、導光部内での拡散範囲を小さくして、表示画面の所定領域に導光することができる。
【００１０】
上記の表示装置において、前記表示画面に対する前記所定領域の割合が、前記第１の光源の輝度に対する前記第２の光源の輝度の割合よりも小さいこととしてもよい。
このようにすることで、第２の光源により部分点灯された所定領域の輝度を、第１の光源により全面点灯された表示画面の輝度よりも大きくすることができる。例えば、同じ輝度を有する第１の光源と第２の光源を１個ずつ設け、所定領域を表示画面の１／４とした場合には、部分点灯された所定領域の輝度は、全面点灯された表示画面の輝度の４倍となる。これにより、屋外で使用する場合にも、所定領域に表示された画像の視認性を向上させることが可能となる。
【００１１】
上記の表示装置において、外光の強度を検知する外光検知部と、該外光検知部により検知された外光の強度に基づいて、前記第１の光源および前記第２の光源の点灯を制御する点灯制御部とを備えることとしてもよい。
このようにすることで、外光検知部により検知された外光の強度に基づいて、点灯制御部により表示画面の全面点灯と部分点灯とを切り替えることができる。つまり、外光の強度が高い場合には、点灯制御部により部分点灯とすることで、所定領域の輝度を大きくして視認性を向上させることができる。
【００１２】
本発明は、上記のいずれかに記載の表示装置と、被写体を撮影する撮像装置と、該撮像装置により取得された画像を前記表示装置に表示させる表示制御部とを備える電子機器を採用する。
このような電子機器によれば、撮影枚数や使用時間を減少させることなく、外部で使用する場合にも良好な視認性を確保した状態で被写体の撮影を行うことができる。
【発明の効果】
【００１３】
本発明によれば、表示画面と同一のアスペクト比で画像を表示しながら、消費電力を低減することができるという効果を奏する。
【発明を実施するための最良の形態】
【００１４】
以下に、本発明の一実施形態について、図面を参照して説明する。ここでは、本発明に係る表示装置をデジタルカメラに適用した例について説明する。
図１は、本実施形態に係るデジタルカメラ１の概略構成を示すブロック図である。
図１に示すように、本実施形態に係るデジタルカメラ１は、被写体を撮影する撮像装置１０と、撮像装置１０により撮影された画像を表示する液晶ディスプレイ（表示画面）１１と、照明光を射出する通常点灯用ＬＥＤ（第１の光源）１３および部分点灯用ＬＥＤ（第２の光源）１５と、通常点灯用ＬＥＤ１３および部分点灯用ＬＥＤ１５の点灯を制御するＬＥＤ駆動部（点灯制御部）１６と、通常点灯用ＬＥＤ１３および部分点灯用ＬＥＤ１５から射出された照明光を液晶ディスプレイ１１に導光する導光ユニット（導光部）１７と、通常サイズの画像または縮小サイズの画像を液晶ディスプレイ１１に表示させる液晶パネル信号制御部（表示制御部）１９と、液晶ディスプレイ１１に表示する画像のサイズを切り替える切り替え用ボタン（画像切替部）２１と、外光の照度を検知する外光照度センサー（外光検知部）２３と、液晶ディスプレイ１１の輝度を検知するＴＦＴ内部センサー２５と、図示しないバッテリーの電源残量を検知する電源残量センサー２７と、これら各部を制御するシステム制御部２９とを備えている。
【００１５】
撮像装置１０は、被写体像を結像させるレンズ等から構成される光学ユニット（図示略）と、光学ユニットの光軸後方に設けられたＣＣＤ（図示略）とを有しており、撮影した画像の信号をデジタル変換してシステム制御部２９を介して液晶パネル信号制御部１９に出力するようになっている。
液晶ディスプレイ１１は、通常点灯用ＬＥＤ１３および部分点灯用ＬＥＤ１５により背面から照明されるとともに、撮像装置１０により撮影された画像を液晶パネル信号制御部１９により指定されたサイズで表示するようになっている。
【００１６】
ＬＥＤ駆動部１６は、システム制御部２９からの指令に基づいて、通常点灯用ＬＥＤ１３および部分点灯用ＬＥＤ１５の点灯を制御するとともに、各ＬＥＤの輝度、すなわち、各ＬＥＤに供給する電流値を制御するようになっている。
【００１７】
導光ユニット１７は、通常点灯用ＬＥＤ１３からの照明光を液晶ディスプレイ１１の全面に導光するとともに、部分点灯用ＬＥＤ１５からの照明光を液晶ディスプレイ１１と同一のアスペクト比を有する所定領域に導光するようになっている。
【００１８】
ここで、導光ユニット１７の詳細な構成について、図２および図３を用いて以下に説明する。
図２に示すように、導光ユニット１７は、通常点灯用ＬＥＤ１３から射出された照明光３７を入射させる第１の入射面３６と、第１の入射面３６より入射した照明光３７を内面反射させて導光する導光体３２と、液晶ディスプレイ１１と導光体３２との間に配置された光学シート３１と、導光体３２を挟んで光学シート３１と対向して配置され、導光体３２を通過した照明光３７を反射する反射体３３と、導光体３２に複数設けられ、導光体３２内面で反射される照明光３７を偏向する微小光学パターン３４と、照明光３７を液晶ディスプレイ１１に向けて出射する出射面３５とを備えており、第１の入射面３６より入射した照明光３７を液晶ディスプレイ１１の全面に出射するようになっている。
【００１９】
なお、微小光学パターン３４は、例えば、プリズム、球、半球、円錐、ストライプ線状、レンチキュラー、フォログラム等の導光体３２に設けられたパターンであり、導光体３２内面で反射される照明光３７の反射方向を変化させることで、照明光３７を出射面３５からムラ無く出射させるように、その形状や数量が調整されている。
【００２０】
また、図３に示すように、導光ユニット１７は、上記の構成要素に加えて、部分点灯用ＬＥＤ１５から射出された照明光３９を入射させる第２の入射面３８を有している。第２の入射面３８は、中央部に近づくに従って部分点灯用ＬＥＤ１５と離間するようにテーパ面が形成されている。このように第２の入射面３８を形成することで、第２の入射面３８における照明光３９の屈折角を、第１の入射面３６における照明光３７の屈折角よりも大きくして、照明光３９の導光部３２内での拡散範囲を小さくし、照明光３９を液晶ディスプレイ１１の所定領域に導光するようになっている。
【００２１】
切り替え用ボタン２１は、ユーザの操作により液晶ディスプレイ１１に表示する画像を通常サイズと縮小サイズのいずれかに切り替えるようになっている。
液晶パネル信号制御部１９は、切り替え用ボタン２１により通常サイズが選択された場合に、液晶ディスプレイ１１の全面に通常サイズの画像を表示するようになっている。また、液晶パネル信号制御部１９は、切り替え用ボタン２１により縮小サイズが選択された場合に、予め設定された縮小率で画像を縮小するとともに、液晶ディスプレイ１１の所定位置に縮小した画像を表示するようになっている。
【００２２】
また、液晶パネル信号制御部１９は、外光照度センサー２３により検知された外光の照度、ＴＦＴ内部センサー２５により検知された液晶ディスプレイ１１の輝度、および電源残量センサー２７により検知されたバッテリーの電源残量のいずれかに基づいて、液晶ディスプレイ１１に表示する画像を通常サイズと縮小サイズのいずれかに切り替えるようになっている。
【００２３】
上記構成を有するデジタルカメラ１において、全面点灯および部分点灯の方法について図７および図１２を用いて以下に説明する。ここで、図７は本実施形態に係るデジタルカメラ１の説明図であり、図１２は比較として示す従来のデジタルカメラ６０の説明図である。なお、図７および図１２において、（ａ）は全面点灯時、（ｂ）は部分点灯時の状態を示している。
【００２４】
従来のデジタルカメラ６０は、図１２（ａ）および図１２（ｂ）に示すように、２つの領域に分割された液晶ディスプレイ６１と、液晶ディスプレイ６１の側方に並んで配置され、液晶ディスプレイ６１を背面から照明するＬＥＤ６３ａ，６３ｂとを備えている。
全面点灯時には、図１２（ａ）に示すように、ＬＥＤ６３ａとＬＥＤ６３ｂの両方を点灯させることにより、液晶ディスプレイ６１の全領域６５を照明するようになっている。
部分点灯時には、図１２（ｂ）に示すように、ＬＥＤ６３ａは液晶ディスプレイ６１の部分領域６６を照明し、ＬＥＤ６３ｂは液晶ディスプレイ６１の部分領域６７を照明するようになっている。ここで、前述の微小光学パターンは、入射した照明光を出射面からムラ無く出射するように設けられているため、ＬＥＤ６３ａとＬＥＤ６３ｂの一方を点灯させた場合には、液晶ディスプレイ６１とはアスペクト比の異なる部分領域６６または部分領域６７が照明されることとなる。
【００２５】
これに対し、本実施形態に係るデジタルカメラ１は、図７（ａ）および図７（ｂ）に示すように、液晶ディスプレイ１１と、液晶ディスプレイ１１の側方に並んで配置された通常点灯用ＬＥＤ１３ａ，１３ｂと、液晶ディスプレイ１１の側方に配置された部分点灯用ＬＥＤ１５とを備えている。
全面点灯時には、図７（ａ）に示すように、通常点灯用ＬＥＤ１３ａ，１３ｂを点灯させ、部分点灯用ＬＥＤ１５を消灯させる。
部分点灯時には、図７（ｂ）に示すように、部分点灯用ＬＥＤ１５を点灯させ、通常点灯用ＬＥＤ１３ａ，１３ｂを消灯させる。この際、部分点灯用ＬＥＤ１５から導光体３２に入射した照明光は、所定領域４２のみに出射されることなる。ここで、所定領域４２は、液晶ディスプレイ１１と同一のアスペクト比を有するとともに、液晶ディスプレイ１１の全領域４１の１／４の面積を有する領域である。なお、通常点灯用ＬＥＤ１３と部分点灯用ＬＥＤ１５とは同様の輝度を有することとする。
【００２６】
上記のように各ＬＥＤの点灯制御を行うデジタルカメラ１によれば、部分点灯時には１個のＬＥＤ（部分点灯用ＬＥＤ１５）を点灯させるだけでよいので、２個のＬＥＤ（通常点灯用ＬＥＤ１３ａ，１３ｂ）を点灯させる通常点灯時と比べて、その消費電力を半分に低減することができる。また、部分点灯用ＬＥＤ１５からの照明光を、図１２の部分領域６６の半分の面積である所定領域４２に集光させるため、所定領域４２の明るさは全面点灯時の２倍となる。つまり、部分点灯を行うことにより、全面点灯時と比較して、ＬＥＤの消費電力を１／４にするとともに、所定領域４２の明るさを２倍とすることができる。
【００２７】
上記のデジタルカメラ１の作用について、図１１に示すフローチャートに従って以下に説明する。
まず、デジタルカメラ１の電源をＯＮにすることにより、通常点灯用ＬＥＤ１３ａ，１３ｂを点灯させて液晶ディスプレイ１１を全面点灯させるとともに、通常サイズの画像を液晶ディスプレイ１１に表示させる（Ｓ１）。このときの状態が、図１０（ａ）に示されている。
【００２８】
次に、液晶ディスプレイ１１に表示された画像が見易いか否かをユーザに判断させ（Ｓ２）、表示された画像が見難い場合には、切り替え用ボタン２１の操作により屋外モードに切り替えられる（Ｓ４）。
また、ユーザが所望する撮影枚数や撮影時間に対してバッテリーの残量が十分にあるか否かをユーザに判断させ（Ｓ３）、バッテリーの残量が少ない場合には切り替え用ボタン２１の操作により省エネモードに切り替えられる（Ｓ４）。
また、電源残量センサー２７によりバッテリーの残量が検知され（Ｓ５）、残量が少ない場合には自動的に省エネモード（自動省エネモード）に切り替えられる。
【００２９】
上記のように、屋外モード、省エネモード、および自動省エネモードのいずれかに切り替えられた場合には、バックライトの照明が部分点灯に切り替えられる（Ｓ６）。具体的には、通常点灯用ＬＥＤ１３ａ，１３ｂを消灯させるとともに、部分点灯用ＬＥＤ１５の駆動電流をＬＥＤ駆動部１６により調整して部分点灯用ＬＥＤ１５を点灯させる。
【００３０】
そして、液晶パネル信号制御部１９により、液晶ディスプレイ１１に表示される画像が所定の縮小率で縮小され、縮小画像が部分点灯用ＬＥＤ１５により照明された所定領域４２に表示される（Ｓ７）。このときの状態が、図１０（ｂ）に示されている。
以上のようにして液晶ディスプレイ１１の表示設定を終了する（Ｓ８）。
【００３１】
以上説明してきたように、本実施形態に係るデジタルカメラ１によれば、全面点灯により液晶ディスプレイ１１の全面に通常サイズの画像を表示可能にするととともに、部分点灯により液晶ディスプレイ１１と同一のアスペクト比を有する所定領域４２に縮小サイズの画像を表示して消費電力の低減を図ることができる。
【００３２】
なお、通常点灯用ＬＥＤ１３ａ，１３ｂと部分点灯用ＬＥＤ１５とは同様の輝度を有することとして説明したが、この例に限られず、通常点灯用ＬＥＤ１３ａ，１３ｂが照明する領域に対する所定領域４２の割合が、通常点灯用ＬＥＤ１３ａ，１３ｂの輝度に対する部分点灯用ＬＥＤ１５の輝度の割合よりも小さければ、部分点灯時における所定領域４２を全面点灯時よりも明るくすることができる。
例えば、全面点灯時と部分点灯時の消費電力が同じになるように各ＬＥＤの駆動電流を設定した場合には、部分点灯用ＬＥＤ１５の輝度は通常点灯用ＬＥＤ１３ａまたは１３ｂの輝度の２倍となる。この部分点灯用ＬＥＤ１５からの照明光を、図１２の部分領域６６の半分の面積である所定領域４２に集光させるため、所定領域４２の明るさは全面点灯時の４倍となる。これにより、部分点灯時の液晶ディスプレイ１１の視認性をさらに向上させることが可能となる。
【００３３】
また、第２の入射面３８は、中央部に近づくに従って部分点灯用ＬＥＤ１５と離間するテーパ面が形成された形状であるとして説明したが、この例に限られず、部分点灯用ＬＥＤ１５に対して凹型に形成されていればよい。
例えば、第２の入射面３８は、図４に示すように、中央部に近づくに従って部分点灯用ＬＥＤ１５と離間する曲面としてもよい。また、図５に示すように、出射面３５に近づくに従って部分点灯用ＬＥＤ１５と離間するテーパ面を形成するとともに、反射体５１を部分点灯用ＬＥＤ１５近傍に反射体３３と対向させて設けることとしてもよい。また、図６に示すように、出射面３５から遠ざかるに従って部分点灯用ＬＥＤ１５と離間するテーパ面を形成するとともに、反射体５１を部分点灯用ＬＥＤ１５近傍に光学シート３１と対向させて設けることとしてもよい。
第２の入射面３８の形状を、図４、図５、および図６に示す形状とすることで、部分点灯用ＬＥＤ１５から出射された照明光３９の屈折角を大きくすることができ、導光部３２内での拡散範囲を小さくして、照明光３９を液晶ディスプレイ１１の所定領域に導光することができる。
【００３４】
また、図１１のフローチャートにおいて、屋外モードへ切り替える際の判断は、ＴＦＴ内部センサー２５により検知された液晶ディスプレイ１１の輝度に基づいて自動的に行うこととしてもよい。また、液晶ディスプレイ１１に表示する画像が、文字や低解像度で十分に認識可能な単純な画像である場合には、ユーザが切り替え用ボタン２１を操作することにより、液晶ディスプレイ１１に縮小画像を表示することとしてもよい。
【００３５】
［第１の変形例］
次に、前述のデジタルカメラ１の第１の変形例について図８（ａ）および図８（ｂ）を用いて説明する。
図８（ａ）および図８（ｂ）は、本変形例のデジタルカメラ２の全面点灯および部分点灯の方法を説明する図である。
本変形例のデジタルカメラ２は、前述のデジタルカメラ１と同様の構成を有しているものの、部分点灯時の制御方法が前述のデジタルカメラ１とは異なっている。すなわち、本変形例のデジタルカメラ２は、部分点灯時には、図８（ｂ）に示すように、通常点灯用ＬＥＤ１３ａおよび部分点灯用ＬＥＤ１５を点灯させ、通常点灯用ＬＥＤ１３ｂのみを消灯させる。この際、部分点灯用ＬＥＤ１５から導光体３２に入射した照明光は、所定領域４２のみに出射されることなる。また、通常点灯用ＬＥＤ１３ａから導光体３２に入射した照明光は、所定領域４２および部分領域４３に出射されることなる。なお、全面点灯時の制御方法は前述のデジタルカメラ１と同様である。
【００３６】
上記のデジタルカメラ２において、通常点灯用ＬＥＤ１３ａ，１３ｂと部分点灯用ＬＥＤ１５が同様の輝度を有する場合、部分点灯時と全面点灯時とで点灯させるＬＥＤの個数は同じであるため、その消費電力は同じである。しかしながら、通常点灯用ＬＥＤ１３ａからの照明光の半分を所定領域４２に出射するとともに、部分点灯用ＬＥＤ１５からの照明光の全てを所定領域４２に集光させることができ、所定領域４２の明るさを全面点灯時の３倍とすることができる。
【００３７】
［第２の変形例］
前述のデジタルカメラ１またはデジタルカメラ２の第２の変形例として、図９（ａ）および図９（ｂ）に示すように、部分点灯用ＬＥＤ１５を液晶ディスプレイ１１のコーナ部に配置することとしてもよい。
このようなデジタルカメラ３によれば、前述のデジタルカメラ１またはデジタルカメラ２と同様の作用効果を得られることの他、各ＬＥＤを配置する際の自由度を向上させることができる。
【００３８】
以上、本発明の実施形態について図面を参照して詳述してきたが、具体的な構成はこの実施形態に限られるものではなく、本発明の要旨を逸脱しない範囲の設計変更等も含まれる。
例えば、表示画面１１は、液晶ディスプレイであるとして説明したが、これに代えて、プラズマディスプレイ、有機エレクトロルミネッセンスディスプレイ、電界放出ディスプレイ、電子ペーパー、ブラウン管ディスプレイ、発光ダイオードディスプレイ等としてもよい。
【００３９】
また、本発明に係る表示装置の適用例としてデジタルカメラを例に挙げて説明したが、携帯電話やＰＤＡ（携帯情報端末）等の表示機能を有する電子機器に適用してもよい。
また、液晶パネル信号制御部１９は、予め設定された縮小率で画像を縮小することとして説明したが、これに代えて、予め設定された拡大率で画像を拡大し、拡大した画像を全面点灯時に表示とするとともに、拡大前の画像を部分点灯時に表示することとしてもよい。
また、部分点灯時に照明を行う所定領域４２は、液晶ディスプレイ１１の全領域４１の１／４の面積を有する領域であるとして説明したが、この例に限られない。すなわち、液晶ディスプレイ１１と同一のアスペクト比を有していれば、例えば、全領域４１の１／２の面積であっても、１／８の面積であってもよい。また、縮小画像のアスペクト比は、必ずしも縮小前の画像のアスペクト比と完全に同一である必要はなく、縮小前の画像を十分に認識可能な比率であればよい。
【図面の簡単な説明】
【００４０】
【図１】本発明の一実施形態に係るデジタルカメラの概略構成を示すブロック図である。
【図２】図１の通常点灯用ＬＥＤからの照明光の入射状態を示す図である。
【図３】図１の部分点灯用ＬＥＤからの照明光の入射状態を示す図である。
【図４】図３の導光ユニットの変形例である。
【図５】図３の導光ユニットの変形例である。
【図６】図３の導光ユニットの変形例である。
【図７】図１の液晶ディスプレイの点灯状態を説明する図であって、（ａ）は全面点灯時を説明する図、（ｂ）は部分点灯時を説明する図である。
【図８】第１の変形例に係る液晶ディスプレイの点灯状態を説明する図であって、（ａ）は全面点灯時を説明する図、（ｂ）は部分点灯時を説明する図である。
【図９】第２の変形例に係る液晶ディスプレイの点灯状態を説明する図であって、（ａ）は全面点灯時を説明する図、（ｂ）は部分点灯時を説明する図である。
【図１０】図１のデジタルカメラの作用を説明する図である。
【図１１】図１のデジタルカメラの処理手順を示すフローチャートである。
【図１２】従来の液晶ディスプレイの点灯状態を説明する図であって、（ａ）は全面点灯時を説明する図、（ｂ）は部分点灯時を説明する図である。
【符号の説明】
【００４１】
１，２，３  デジタルカメラ
１０  撮像装置
１１  液晶ディスプレイ
１３，１３ａ，１３ｂ  通常点灯用ＬＥＤ
１５  部分点灯用ＬＥＤ
１６  ＬＥＤ駆動部
１７  導光ユニット
１９  液晶パネル信号制御部
２１  切り替え用ボタン
２３  外光照度センサー
２５  ＴＦＴ内部センサー
２７  電源残量センサー
２９  システム制御部
３５  出射面
３６  第１の入射面
３８  第２の入射面
４２  所定領域
【図１】
2010060817.tif 000003
【図２】
2010060817.tif 000004
【図３】
2010060817.tif 000005
【図４】
2010060817.tif 000006
【図５】
2010060817.tif 000007
【図６】
2010060817.tif 000008
【図７】
2010060817.tif 000009
【図８】
2010060817.tif 000010
【図９】
2010060817.tif 000011
【図１０】
2010060817.tif 000012
【図１１】
2010060817.tif 000013
【図１２】
2010060817.tif 000014